(57)【要約】【課題】  シャッタカーテンを閉めた状態で、効率良く室内へと外気（風）を取り込むことができるシャッタ装置を提供する。【解決手段】  シャッタ装置１は、壁面２に設けられた枠体と、枠体５に対して開閉可能なシャッタカーテン３と、枠体５の両端に設けられ、シャッタカーテン３の開閉を案内するシャッタ枠６と、シャッタ枠６の少なくとも一方に設けられ、外部から空気を取り入れる通気口７と、通気口７に対して回動し開閉を行う開閉板８と、開閉板８を回動させる駆動手段９とを備えた。【選択図】  図２
2012097493.tif 000002
【特許請求の範囲】
【請求項１】
壁面に設けられた枠体と、
前記枠体に対して開閉可能なシャッタカーテンと、
前記枠体の両端に設けられ、前記シャッタカーテンの開閉を案内するシャッタ枠と、
前記シャッタ枠の少なくとも一方に設けられ、外部から空気を取り入れる通気口と、
前記通気口に対して回動し、開閉を行う開閉板と、
前記開閉板を回動させる駆動手段とを備えたシャッタ装置。
【請求項２】
前記通気口は、前記シャッタ枠の側面に設けられている請求項１に記載のシャッタ装置。
【請求項３】
前記開閉板は、前記シャッタ枠の長手方向に延びる第１回動軸を備えた請求項１又は請求項２に記載のシャッタ装置。
【請求項４】
前記開閉板は、前記通気口を覆い、前記シャッタ枠の側面に対して重合する重合部が設けられている請求項１乃至請求項３のいずれか一項に記載のシャッタ装置。
【請求項５】
前記シャッタ装置は、前記駆動手段を駆動させる操作部を備え、
前記操作部は、シャッタ枠の長手方向に移動する請求項１乃至請求項４のいずれか一項に記載のシャッタ装置。
【請求項６】
前記駆動手段は、
前記開閉板を回動可能に支持する前記第１回動軸と、
前記第１回動軸と一体に回動する第１歯車と、
前記第１回動軸と直交して回動する第２回動軸と、
前記第１歯車と噛合し、前記第２回動軸に設けられた第２歯車と、
前記第２回動軸を介して、前記第２歯車と一体に回動する第３歯車とを備え、
前記操作部は、前記第３歯車と噛合するラックとを有する請求項１乃至請求項５のいずれか一項に記載のシャッタ装置。
【発明の詳細な説明】
【技術分野】
【０００１】
本発明は、シャッタカーテンの閉時にも室外より室内に外気（例えば、自然風）を取り込むことが可能なシャッタ装置に関するものである。
【背景技術】
【０００２】
従来、特許文献１には、開口部を閉鎖するシャッタカーテン（シャッタパネル）の上下方向に並設された複数のスラットの連結部分に通気口（通風孔）が備えられているシャッタ装置が開示されている。この特許文献1に示されるシャッタ装置は、開口部を閉鎖するために引き下げられたシャッタカーテンが途中で停止すると、スラットが自重によって垂れ下がるため、連結部分に設けられた通気口が開口する構造となっている。さらに、シャッタ装置は、シャッタカーテンを引き下げていくと、スラットの連結部分が重なり合うため、スラットの自重によって開口していた通気口は閉口する構造となっている。
【０００３】
また、特許文献２には、開口部を開閉するシャッタカーテンをガイドするシャッタ枠（外板部）に通気口（換気孔）が設けられたシャッタ装置（開閉装置）が開示されている。この特許文献２に示されるシャッタ装置は、通気口を覆うようにして下方に開口している切り出し部が設けられている。さらに、この通気口は、上下方向に複数設けられているため、効率のよい換気が可能となっている。
【先行技術文献】
【特許文献】
【０００４】
【特許文献１】特開平８−１３５３４１号公報
【特許文献２】特開２００４−８４４１８号公報
【発明の概要】
【発明が解決しようとする課題】
【０００５】
上記した特許文献１のシャッタ装置（開閉装置）のスラットの通気口は、シャッタ装置の前方からの外気（例えば、自然風）を通気口より取り込むことが可能であるが、シャッタ装置の側面からの外気（自然風）を効率良く取り込むことが困難であり、十分な通気を行うことができない。さらに、通気時のシャッタ装置は、スラットの連結部分が露出するため、防犯性が損なわれるとともに、シャッタ装置の前方の通気口の隙間から室内側（内部）を外より見られるおそれがある。
【０００６】
また、特許文献２のシャッタ装置は、通気口の開閉を行うことができないため、使用者が必要に応じて外気を室内に取り込むことが困難である。
【０００７】
特に、住宅密集地等では、自然風が住宅の配置によって流れ方向が決まってしまうため、シャッタ装置の前方からの（壁面に対して垂直な）自然風よりも、壁面に沿った側方からの外気（自然風）を受けることなる。このため、上記したシャッタ装置では、外気を効率よく室内へと取り込むことが困難なものとなってしまう。
【０００８】
そこで、本発明は上記した問題点に鑑みてなされたものであり、シャッタカーテンを閉めた状態でも、効率良く室内へと外気（風）を取り込むことができるシャッタ装置を提供することにある。
【課題を解決するための手段】
【０００９】
上記した課題を解決するために講じた技術的手段は、
壁面に設けられた枠体と、枠体に対して開閉可能なシャッタカーテンと、枠体の両端に設けられ、シャッタカーテンの開閉を案内するシャッタ枠と、シャッタ枠の少なくとも一方に設けられ、外部から空気を取り入れる通気口と、通気口に対して回動し、開閉を行う開閉板と、開閉板を回動させる駆動手段とを備えた構成とした。
【００１０】
この場合、通気口は、シャッタ枠の側面に設けられていると良い。
【００１１】
また、開閉板は、シャッタ枠の長手方向に延びる第１回動軸を備えていると良い。
【００１２】
また、開閉板は、通気口を覆い、シャッタ枠の側面に対して重合する重合部が設けてられていると良い。
【００１３】
シャッタ装置は、駆動手段を駆動させる操作部を備え、操作部は、シャッタ枠の長手方向に移動する構成とすると良い。
【００１４】
また、駆動手段は、開閉板の回動可能に支持する前記第１回動軸と、第１回動軸と一体に回動する第１歯車と、第１回動軸と直交して回動する第２回動軸と、第１歯車と噛合し、第２回動軸に設けられた第２歯車と、第２歯車を介して、第２歯車と一体に回動する第３歯車とを備え、操作部は、第３歯車と噛合するラックとを有する構成とすると良い。
【発明の効果】
【００１５】
本発明によれば、このシャッタ装置は、シャッタカーテンを閉じた状態であっても、通気口に対して開閉を行う開閉板を回動して通気口を開閉することにより、シャッタ装置に向かって吹いてくる外気（例えば、自然風）を室内へと取り込むことが可能である。このとき、開閉板は回動することでシャッタ枠の少なくとも一方に設けられる通気口の開口に対して角度調整を行うことができ、例えば、シャッタ枠の側方からも開閉板の面に外気を衝突させて、外気の流れる角度を変えて室内に取り込むことができる。
【００１６】
この場合、上記構成において、通気口がシャッタ枠の側面に設けられていることで、シャッタカーテンを閉じた状態でもシャッタ装置の側方からの外気を効率よく取り込むことができる。
【００１７】
また、上記構成において、開閉板がシャッタ枠の長手方向に延びる第１回動軸を備えていれば、シャッタ装置に向かって前方及び側方からの外気に対して開閉板を垂直な面で衝突することができる。これにより、シャッタ装置は、前方及び側方からの外気を室内側へと導くよう開閉板の角度調整が可能となり、室内への外気の取り込みについても開閉板を任意の位置に調整することも可能である。
【００１８】
また、このシャッタ装置は、シャッタ枠と重合する重合部を開閉板に設けることにより、シャッタカーテンを閉状態とし、通気口を開閉板により閉状態としたときでも、開閉板と通気口の隙間から射し込む光を遮蔽することが可能となる。
【００１９】
また、このシャッタ装置は、シャッタ枠の長手方向に摺動する操作部を設ければ、別途操作部を取り付ける取付け部材（ブラケット等）を設けなくても、シャッタ枠という限られたスペースで操作部による操作が行える。これは、シャッタ枠が幅方向に比べて長手方向に操作部の移動に利用できる空間を確保することができるためである。これにより、操作部は、開閉板の回動量を微調整するために、操作部の移動量を多くしてもシャッタ枠に収まることが可能である。
【００２０】
さらに、駆動手段が上記した構成によれば、駆動手段は、第１〜第３歯車による簡単な構成によって、開閉板の通気口に対する回動量を微調整するもことができ、外気の向きや強さに応じて開閉板の角度をラックを有する操作部をシャッタ枠に対して上下方向にスライド動作させることによって、第１〜第３歯車を回動操作することにより微調整することも可能である。また、このシャッタ装置は、開閉板の回動軸と直交する回動軸に設けられた歯車を、操作部がラックによって操作することが可能であるため、シャッタ枠の長手方向に摺動することができる。
【図面の簡単な説明】
【００２１】
【図１】本発明の一実施形態におけるシャッタ装置の壁面への取付状態を示す取付図である。
【図２】図１に示すシャッタ装置の開閉板と開閉板を操作する操作部の設けられる部位を室内側から見た部分拡大図である。
【図３】シャッタ装置の通気口に対して開閉板が全閉状態となった時の状態図である。
【図４】図３に示す開閉板のＡ−Ａ断面図である。
【図５】本発明に一実施形態におけるシャッタ装置の開閉板を駆動する駆動手段の説明図である。
【図６】本発明に係わるシャッタ装置の駆動手段の構成図である。
【図７】本発明に係わるシャッタ装置の前方からの風向きに応じた使用時の状態説明図であり、（ａ）通気口の閉状態、（ｂ）通気口の片側開状態、（ｃ）通気口の両側開状態を示す説明図である。
【図８】本発明に係わるシャッタ装置の側方からの風向きに応じた使用時の説明図であり、（ａ）通気口の閉状態、（ｂ）通気口の片側開状態（壁面に対して水平方向）、（ｃ）通気口の片側開状態（（ｂ）に対して傾きがある）を示す説明図である。
【発明を実施するための形態】
【００２２】
本発明の一実施形態におけるシャッタ装置１の壁面２への取付について、図１を用いて説明する。
【００２３】
図１に示すように本発明のシャッタ装置１は、複数のスラット３ａが高さ方向（図１では上下方向）に並設され、構造物（壁面）２に設けられた開口を開閉するシャッタカーテン３と、シャッタカーテン３を巻き取る巻取体４と、巻取体４を回動させる回動機構４ａと、巻取体４を回動可能にシャッタカーテン３の上方にて支持するフレーム４ｂと、シャッタカーテン３の両側の側方で構造物２の開口を形成する枠体５に設けられた左右一対のシャッタ枠６と、シャッタ枠６の側面６ｃの少なくとも一方に設けられた通気口７と、通気口７に対して開閉自在な開閉板８と、開閉板８を開閉自在に回動させる駆動手段９とを主として備えている。上記構成において、並設されたシャッタカーテン３を上下動させる回動機構４ａが自動である場合は、モータ４ａをスイッチ（図示せず）等によってスイッチ操作を検知しモータ制御される。一方、回動操作が手動である場合は、操作部を手動操作して上下動を調整する。このシャッタ装置１は、シャッタカーテン３をガイドするシャッタ枠６内のガイドレールと壁面２に設けられた枠体５との間のシャッタ枠６の一部（本実施形態では上方に長方形状に設けているが、これに限定されず、中央部または下方に長方形状以外の丸型、正方形であっても良い）に所望形状にくり貫かれた通気口７が設けられている。このため、通気口７はシャッタカーテン３の開閉動作とは干渉しない側方の部位に設けられるので、シャッタカーテン３の開閉動作の障害とならない。
【００２４】
スイッチによりモータ４ａが一方向に駆動して巻取体４が一方向に回転すると、シャッタカーテン３が下方へと繰り出され左右一対のシャッタ枠６との間の開口を閉じる閉方向へと移動する（閉操作）。また、モータ４aが他方向に回転すると、シャッタカーテン３が図示しないドラムに上方へと開方向に巻かれて開口する（開操作）。
【００２５】
通気口７に対して開閉自在となる開閉板８は、シャッタ枠６の室内側からの開閉操作が可能となっている。
【００２６】
次に、本発明に係わる開閉板８と駆動手段１０の構成について、図２を参照して説明する。図２に示すように、シャッタ装置１は、シャッタ枠６の側面６ｃに取り付けられる取付部材１０に設けられた通気口７と、長方形状の通気口７に対して開閉する開閉板８と、開閉板８を操作する駆動手段９とを備える。通気口７は、シャッタ枠６の内側から取り付けられた取付部材１０に設けられ、シャッタ枠６の側面６ｃに対して開口する。開閉板８は、駆動手段９の大きさ及び取付けスペース等によって幅方向の中央に第１回動軸８ａを有し、第１回動軸８ａが回動中心となり開閉板８が図２に示す時計方向または反時計方向に回動する構成となっている。開閉板８の第１回動軸８ａの一方（図２の下方）は駆動手段９に連携し、駆動手段９の構成部品の一部を担っており、他方（図２の上方）は、シャッタ枠６に軸受が設けられ、図示しない軸受によって回動自在に支持されている。更に、開閉板８は、開閉板８の開閉軌跡側に通気口７が設けられた取付部材１０又はシャッタ枠６と重合する重合部８ｂが設けられる。開閉板８は、重合部８ｂが取付部材１０と閉状態時には重なるため回動範囲に規制が掛かり、シャッタ枠６に対して開閉板８の片側の開閉軌跡が略１８０度に規制される。駆動手段９は、開閉板８の下方に設けられているケース１１内に収容されており、室内側にシャッタ枠６の長手方向に摺動可能な操作部９ａを有している。本発明のシャッタ装置１は、通気口７及び開閉板８を有する取付部材１０と、駆動手段９を有するケース１１とが一体となった通気ユニットを形成し、シャッタ枠６に取り付ける構造となっている。このため、シャッタ枠６には、この通気ユニットを取り付けるための開口となる空間（図示せず）が設けられている。
【００２７】
次に本発明に係わるシャッタ装置１の開閉板８の構成について、図３、図４を用いて説明する。図３は、本発明に係わるシャッタ装置１の通気口７に対して開閉板８が全閉状態の時の状態説明図を示し、図４は、図３に示す開閉板８の閉状態時でのＡ−Ａ断面に関する断面図を示している。
【００２８】
図３に示すように、シャッタ装置１の開閉板８は、取付部材１０に設けられた通気口７を閉状態とする際に、取付部材１０（又はシャッタ枠６）の通気口７の周辺部分と重なるように重合部８ｂが設けられている。さらに通気口７は、回動する第１回動軸８ａの収容する凹部７ａを除く通気口７の上部に段差部７ｂが設けられている。この通気口７の段差部７ｂは、室内側と室外側とで第１回動軸８ａに対して対象でない開閉板８の形状に合わせて、光を遮断する重合部８ｂを確実に設けるための構造となっている。
【００２９】
図４に示すように、開閉板８は、閉状態時にシャッタ枠６に設けられた取付部材１０を取り付ける開口部６ａと、取付部材１０の通気口７とを塞ぐように設けられている。また、この開閉板８は、第１回動軸８ａの周囲が肉厚となり、図４に示す左右の端部にいくに従い肉薄とる徐変部と、徐変部から連続して延在し肉厚が一定の薄肉部を有し、第１回動軸８ａの両側に室外側を開閉する板状の室外側開閉部８ｃと、室内側を開閉する板状の室内側開閉部８ｄとを備えている。室内側開閉部８ｄと室外側開閉部８ｃは、断面が平行な段差形状に成形されている。これは、シャッタ枠６及び取付部材１０の厚さを考慮し、重合部８ｂが通気口７の周辺部である取付部材１０と重合する形状となっている。また、このシャッタ装置１は、第１回動軸８ａが駆動手段９の構造（歯車構造の大きさ等）等から室外側に設けられているが、これに限定されるものではない。
【００３０】
次に本発明に係わるシャッタ装置１の駆動手段９について、図５、図６を用いて説明する。図５は、本発明に係わるシャッタ装置１の駆動手段９の説明図を示し、図６は、図５の駆動手段９の実施状態を示した斜視図を示している。
【００３１】
図５に示すように、駆動手段９は、開閉板８を回動させる第１回動軸８ａを回動可能に支持する軸受を設けられている。第１回動軸８ａには、第１回動軸８ａと一体となって回転する第１歯車９ｂが取り付けられている。第１歯車９ｂは、第１回動軸８ａの回動中心と直交した垂直方向に回動中心を持つ第２歯車９ｃと噛合している。この第２歯車９ｃは、一体に回転する第２回動軸９ｄが取り付けられている。この第２回動軸９ｄには、第２歯車９ｃと一体となって回転する第３歯車９ｅが第２歯車９ｂと反対側に設けられており、第２歯車９ｃと第３歯車９ｅが同軸上に並設されている。この第３歯車９ｅは、操作部９ａに設けられたラック９ｆと噛合し、操作部９ａを図５に示す上下方向に操作させることによりラック９fが上下方向に動作し、第３歯車９eがラック９fと摺動して回転する。このとき、操作部９ａは、シャッタ枠６の長手方向に移動可能となるため、ガイドレール６ｂ（図１に示す）が配設されたシャッタ枠６の限られた空間でも操作することができる。また、操作部９ａには、摺動方向と同方向に延びるガイド溝９ｇが設けられている。このガイド溝９ｇは、駆動手段９が収容されているケース１１に設けられたレール部（図示せず）と摺動するとともに、ケース１１によって支持される構造となっている。
【００３２】
図６に示すように、実施形態のシャッタ装置１の駆動手段９は、自動車に使用される部品によって構成されていても良く、駆動手段９は、開閉板８を回動させる第１回動軸８ａに設けられた第１歯車９ｂにヘリカルギアを用い、第２歯車９ｃは、ヘリカルギアと噛合し、回転方向を変化させるウォームギアが用いられている。さらに、このウォームギアには、第１回動軸８ａの回転中心に対して垂直な回転中心となる第２回動軸９ｄが設けられている。この第２回動軸９ｄには、一体に回転する第３歯車９ｅとなる平歯車が設けられ、この平歯車が、操作部９ａのラック９ｆと噛合する。実施形態は、ウォームギアを使用することで、開閉板に回動方向と反対側に力が加わった時等に、第１回動軸８ａが逆回転するのを防止する効果がある。
【００３３】
次に、本発明に係わるシャッタ装置１の外気（例えば、自然風）の状態変化に応じた動作説明ついて、図７、図８を用いて説明する。図７は、本発明に係わる前方からの自然風に対するシャッタ装置１の使用時の説明図を示し、（ａ）通気口７の閉状態、（ｂ）通気口７の片側開状態、（ｃ）通気口７の両側開状態を示している。図８は、本発明に係わる側方からの自然風に対するシャッタ装置１の使用時の説明図を示し、（ａ）通気口７の閉状態、（ｂ）通気口７の片側開状態（壁面２に対して水平方向）、（ｃ）通気口７の片側開状態を示している。
【００３４】
図７及び図８に示すように、シャッタ装置１は、室内の壁面２に設けられた枠体５に対して取り付けられている。この枠体５には、例えば、図示されているようにスライドすることによって開閉可能な窓１２が設けられている。
【００３５】
図７（ａ）に示すように、シャッタ装置１は、シャッタカーテン３を全閉状態にし、シャッタ枠６の側面６ｃに設けられた通気口７を開閉板８が全閉状態とすることで前方からの自然風が室内へ侵入することはない。図７（ｂ）に示すように、シャッタ装置１の左右に設けられた通気口７のどちらか少なくとも一方が、開閉板８によって開閉する片側開状態となることで、シャッタ装置１は、シャッタ装置１の前方から吹く自然風を室内側へ導くことができる。このとき、シャッタ装置１は、開閉板８の回動量を調整することによって、前方から吹く自然風に対して室内へ取り込む自然風の角度を調整し、開閉する側の通気口７に対して近い窓１２若しくは遠い窓１２へと自然風を送り込むことを調整する。図７（ｃ）に示すように、シャッタ装置１の両側の通気口７が開状態となることでシャッタ装置１は、より多くの自然風を取り込むことが可能である。その際、両側の開閉板８が、前方からの自然風に対して、角度調整を行うことで、開状態である窓１２へ自然風を導き、室内へ自然風を送り込む。このように、シャッタ装置１は、シャッタカーテン３が全閉状態時に防犯性を確保しつつ、自然風を取り込むことが可能となる。
【００３６】
図８（ａ）に示すように、シャッタ装置１は、シャッタカーテン３を全閉状態にし、シャッタ枠６の側面６ｃに設けられた通気口７を開閉板８が全閉状態とすることで側方からの自然風が室内へ侵入することはない。図８（ｂ）に示すように、シャッタ装置１は、シャッタ装置１の左右に設けられた通気口７の自然風が吹いている側が開閉板８によって開閉する片側開状態となることで、シャッタ装置１の側方から吹く自然風を室内側へ導くことができる。このとき、シャッタ装置１の開閉板８が、壁面２に対して水平方向の位置に回動することで、側方からの自然風を取り込み、反対の通気口７が閉じているため、自然風が開閉板８に衝突して室内へと導かれる。図８（ｃ）に示すように、シャッタ装置１の開閉板８が、壁面２に対して水平方向の位置に対して角度を設けるように回動する場合は、自然風の風向きが室内側若しくはシャッタカーテン３側へと変更させられるため、室内の開状態の窓１２の位置に応じて開閉板８を回動させて自然風を導くことが可能である。特に、室外側の開閉板８が水平方向よりもシャッタカーテン３側に傾いている場合は、側方から吹く自然風が開閉板８に衝突して開状態の通気口７から近い窓１２へと風向きが変わり易く、室内へ自然風を導くことができる。さらに、室外側の開閉板８が水平方向又は、水平方向よりも壁面２側へ傾いている場合は、側方からの自然風が開閉板８に衝突してシャッタカーテン３側へと風向きが変わることや開閉板８に衝突することなく自然風が通り抜けることで開状態の通気口７から遠い窓１２へと自然風が取り込まれ易く、室内へ自然風を導くことができる。このとき、シャッタ装置１は、開状態の開閉板８と反対側の開閉板８が閉じているため、側方からシャッタ装置１内に入り込んだ自然風が、シャッタ装置１内から通り抜けるのを防止し、効率よく室内へ自然風を送り込む。
【００３７】
ただし、上記した使用方法に限定されることなく、シャッタ装置１は、開閉板８が回動自在であるため、自然風の風向きや風速又は窓１２の構造等に応じて角度調整することにより、状況に応じて自然風を取り込みたい窓１２のほうへ自然風を導くことが可能である。
【００３８】
以上、実施形態の構成について説明したが、本発明はこれに限定されるものではなく、以下に示す態様に変更してもよい。
【００３９】
・駆動手段９は、本実施形態に限定されることなく、モータを駆動源として構成されていてもよい。その際、モータを駆動する起動方法は、スイッチ等で行うようにしてもよい。
【００４０】
・本発明のシャッタ装置１のように取付部材１０とケース１１のような通気ユニットではなく、シャッタ枠６に通気口７を直接設けているような構成でもよい。
【００４１】
・本発明のシャッタ装置１の開閉板８は、幅方向の略中央に第１回動軸８ａを有していることに限定されることなく、開閉板８の両端のどちらか一方に設けられていてもよい。
【００４２】
・本発明のシャッタ装置１の通気口７は、複数設けられていてもよい。
【００４３】
・本発明のシャッタ装置１は、自然風を取り込む際に、シャッタカーテン３に設けられた複数のスラット３ａを回転させて開口部を設けて自然風を取り込むこと（ブラインドのような状態）やシャッタカーテン３を巻取体４によって開状態とすることで、更に自然風を取り込むことができる。
【符号の説明】
【００４４】
１  シャッタ装置
２  壁面（構造物）
３  シャッタカーテン
５  枠体
６  シャッタ枠
６ｃ  側面（枠体に垂直な面）
７  通気口
８  開閉板
８ａ  第１回動軸
８ｂ  重合部
９  駆動手段
９ａ  操作部
９ｂ  第１歯車
９ｃ  第２歯車
９ｄ  第２回動軸
９ｅ  第３歯車
９ｆ  ラック
【図１】
2012097493.tif 000003
【図２】
2012097493.tif 000004
【図３】
2012097493.tif 000005
【図４】
2012097493.tif 000006
【図５】
2012097493.tif 000007
【図６】
2012097493.tif 000008
【図７】
2012097493.tif 000009
【図８】
2012097493.tif 000010